(57)【要約】      （修正有）【課題】緩んだときに使用者がすぐに気付くことができ、優れたダイエット効果が得られるダイエット用ベルトを提供する。【解決手段】バックル本体３が、細長いバンドの一端側に取り付けられている。スライド部材４が、バンドの長さ方向に沿ってスライド可能にバックル本体３に設けられ、バンドの長さを調節してバンドの他端側を取付け可能に設けられている。スライド部材４は、スライド方向に沿って凹凸を繰り返す形状に形成された波状部４ｅを有している。係合部５ｂが、波状部４ｅに対向するようバックル本体３に設けられている。係合部は、波状部の凹部の奥に向かって付勢されて、凹部に係合するとともに、スライド部材をスライドさせるとき、波状部の凹凸に合わせて振動し、音を発する。【選択図】図３
0003187489.tif 000002
【実用新案登録請求の範囲】
【請求項１】
腹部または腰部の周りに巻いて使用されるダイエット用ベルトであって、
細長いバンドと、
前記バンドの一端側に取り付けられたバックル本体と、
前記バンドの他端側に取り付けられ、前記バンドの長さ方向にスライド可能に前記バックル本体と係合し、前記バックル本体に対してスライドするとき警報を出す構成を有するスライド部材とを、
有することを特徴とするダイエット用ベルト。
【請求項２】
腹部または腰部の周りに巻いて使用されるダイエット用ベルトであって、
細長いバンドと、
前記バンドの一端側に取り付けられたバックル本体と、
前記バンドの長さ方向にスライド可能に前記バックル本体に設けられ、前記バンドの長さを調節して前記バンドの他端側を取付け可能に設けられたスライド部材と、
前記バックル本体または前記スライド部材のいずれか一方に設けられ、前記スライド部材のスライド方向に沿って凹凸を繰り返す形状の波状部と、
前記波状部に対向するよう前記バックル本体または前記スライド部材の他方に設けられ、前記波状部の凹部側に付勢されて前記凹部に係合するとともに、前記スライド部材を前記バックル本体に対してスライドさせるとき、前記波状部の凹凸に合わせて警報を出す係合部とを、
有することを特徴とするダイエット用ベルト。
【請求項３】
前記係合部の付勢力を複数段階で調整可能に設けられた調整手段を有することを特徴とする請求項１または２記載のダイエット用ベルト。
【請求項４】
細長く、一端に前記係合部を有し、前記バックル本体または前記スライド部材の他方に前記一端から離れた位置で固定され、前記係合部を前記波状部に対向させるよう設けられた板バネ部材を有し、前記警報は振動および音の少なくとも一方から成り、
前記調整手段は、前記板バネ部材を支持するとともに、前記板バネ部材の長さ方向に沿って移動して前記板バネ部材の支持する位置を変更可能に設けられていることを、
特徴とする請求項３記載のダイエット用ベルト。
【請求項５】
前記バンドは、他端側に、その他端側を前記スライド部材に取り付けたときの周長を明示する目盛りを有していることを特徴とする請求項１乃至４のいずれか１項に記載のダイエット用ベルト。
【請求項６】
前記バックル本体は、前記バンドの長さを調節して前記バンドの一端側を取付け可能に設けられ、
前記バンドは一端側に、その一端側を前記バックル本体に取り付けるときの複数の取付位置を示す目印を有し、他端側に、その他端側を前記スライド部材に取り付けたときの周長を、各取付位置に応じて明示する目盛りを有していることを特徴とする請求項１乃至５のいずれか１項に記載のダイエット用ベルト。
【請求項７】
前記スライド部材は、前記バンドの他端側を取り付けるときにスライドしないよう、指で保持するための把持部を有していることを特徴とする請求項１乃至６のいずれか１項に記載のダイエット用ベルト。
【請求項８】
前記バックル本体および前記スライド部材は、使用者の腹部または腰部の周りに巻いたとき、その部分の前記使用者の身体の曲線に合わせて撓む程度の可撓性を有していることを特徴とする請求項１乃至７のいずれか１項に記載のダイエット用ベルト。
【考案の詳細な説明】
【技術分野】
【０００１】
本考案は、腹部または腰部の周りに巻いて使用されるダイエット用ベルトに関する。
【背景技術】
【０００２】
従来のダイエット用のベルトとして、磁石等の磁力による接続方法、フックやスナップ等の機械的な接続方法、または面ファスナーによる接続方法を用いることにより、力を加えると簡単に外れ、何度でも使用でき、長さを自由に調節できる、ひも状、ベルト状またはバンド状の補助具がある（例えば、特許文献１または２参照）。この補助具は、腹筋の力を緩めるとすぐに外れるようにウエストに装着し、外れないように使用し続けることによりダイエット効果が得られる。
【先行技術文献】
【特許文献】
【０００３】
【特許文献１】特開２００４−２８３５２８号公報
【特許文献２】実用新案登録第３１７２９０８号公報
【考案の概要】
【考案が解決しようとする課題】
【０００４】
しかしながら、特許文献１に記載のダイエットベルトでは、外れるとそのまま落ちてしまい、外れたことに全く気付かないことがあるという課題があった。特許文献２に記載のダイエット用バンドでは、バンド本体に取り付けて使用する磁石の数により留める強さを調節できるため、優れたダイエット効果が得られるが、同様に、緩んだとき気付きにくいという課題があった。
【０００５】
本考案は、このような課題に着目してなされたもので、緩んだときに使用者がすぐに気付くことができ、優れたダイエット効果が得られるダイエット用ベルトを提供することを目的とする。
【課題を解決するための手段】
【０００６】
上記目的を達成するために、本考案に係るダイエット用ベルトは、腹部または腰部の周りに巻いて使用されるダイエット用ベルトであって、細長いバンドと、前記バンドの一端側に取り付けられたバックル本体と、前記バンドの他端側に取り付けられ、前記バンドの長さ方向にスライド可能に前記バックル本体と係合し、前記バックル本体に対してスライドするとき警報を出す構成を有するスライド部材とを、有することを特徴とする。
【０００７】
本考案に係るダイエット用ベルトは、腹筋の位置にかかるよう、腹部または腰部の周りに巻いて使用される。このとき、腹筋の力が緩んで腹部が突き出たときにスライド部材がスライドして緩むよう、腹筋に力を入れて腹部を凹ませた状態で装着する。腹筋で腹部を凹ませ、緩まないよう装着し続けることにより、ダイエット効果が得られる。スライド部材は、スライドするとき警報を出すため、腹筋が緩んで腹部が突き出たことに使用者が気付きやすい。このため、すぐに再装着することができ、優れたダイエット効果を得ることができる。警報は、振動、音のほか、光や電気ショックなどから成ってもよい。
【０００８】
特に、本考案に係るダイエット用ベルトは、腹筋の位置にかかるよう、腹部または腰部の周り腹部または腰部の周りに巻いて使用されるダイエット用ベルトであって、細長いバンドと、前記バンドの一端側に取り付けられたバックル本体と、前記バンドの長さ方向にスライド可能に前記バックル本体に設けられ、前記バンドの長さを調節して前記バンドの他端側を取付け可能に設けられたスライド部材と、前記バックル本体または前記スライド部材のいずれか一方に設けられ、前記スライド部材のスライド方向に沿って凹凸を繰り返す形状の波状部と、前記波状部に対向するよう前記バックル本体または前記スライド部材の他方に設けられ、前記波状部の凹部側に付勢されて前記凹部に係合するとともに、前記スライド部材を前記バックル本体に対してスライドさせるとき、前記波状部の凹凸に合わせて警報を出す係合部とを、有することが好ましい。
【０００９】
この本考案に係るダイエット用ベルトは、腹筋の位置にかかるよう、腹部または腰部の周りに巻いて使用される。本考案に係るダイエット用ベルトは、係合部が波状部の凹部に係合するよう、スライド部材をバックル本体の奥側にスライドさせて配置した状態で、バンドの他端側をスライド部材に取り付けて装着する。このとき、腹筋の力が緩んで腹部が突き出たときにスライド部材がスライドして緩むよう、腹筋に力を入れて腹部を凹ませた状態で装着する。こうして、腹筋で腹部を凹ませ、緩まないよう装着し続けることにより、ダイエット効果が得られる。
【００１０】
スライド部材がスライドするとき、係合部が波状部の凹凸に合わせて振動するため、使用者が緩んだことに気付きやすい。また、振動したときに音も発するような素材や形状にすることにより、より気付きやすくすることができる。緩んだことに使用者が気付くため、すぐに再装着することができ、優れたダイエット効果を得ることができる。本考案に係るダイエット用ベルトでは、波状部がバックル本体に、係合部がスライド部材に設けられていてもよく、波状部がスライド部材に、係合部がバックル本体に設けられていてもよい。
【００１１】
本考案に係るダイエット用ベルトは、前記係合部の付勢力を複数段階で調整可能に設けられた調整手段を有することが好ましい。この場合、スライド部材がスライドを始めるまでに加わる力を、複数段階で調整することができる。このため、慣れない段階では、係合部の付勢力を強くして緩みにくく調節し、慣れてきたときやダイエット効果を高めたいときなどには、係合部の付勢力を弱くして緩みやすく調節することができる。このように、使用者の好みに合わせて係合部の付勢力の強さを調節し、優れたダイエット効果を得ることができる。
【００１２】
本考案に係るダイエット用ベルトは、細長く、一端に前記係合部を有し、前記バックル本体または前記スライド部材の他方に前記一端から離れた位置で固定され、前記係合部を前記波状部に対向させるよう設けられた板バネ部材を有し、前記警報は振動および音の少なくとも一方から成り、前記調整手段は、前記板バネ部材を支持するとともに、前記板バネ部材の長さ方向に沿って移動して前記板バネ部材の支持する位置を変更可能に設けられていることが好ましい。この場合、調整手段が板バネ部材を支持する位置を変更することにより、係合部の付勢力を容易に調整することができる。
【００１３】
本考案に係るダイエット用ベルトで、前記バンドは、他端側に、その他端側を前記スライド部材に取り付けたときの周長を明示する目盛りを有していることが好ましい。この場合、目盛りにより、バンドの長さを調節して装着しやすい。また、装着の度に目盛りをチェックすることにより、ダイエット効果を確認することができる。
【００１４】
また、本考案に係るダイエット用ベルトで、前記バックル本体は、前記バンドの長さを調節して前記バンドの一端側を取付け可能に設けられ、前記バンドは一端側に、その一端側を前記バックル本体に取り付けるときの複数の取付位置を示す目印を有し、他端側に、その他端側を前記スライド部材に取り付けたときの周長を、各取付位置に応じて明示する目盛りを有していてもよい。この場合、目盛りが複数のサイズの腹部周りまたは腰部周りに対応しているので、広いサイズ範囲の使用者が目盛りを利用可能である。また、ダイエット効果などにより、腹部周りまたは腰部周りのサイズが変化しても、バンドの一端側の取付位置を変えることにより、使用し続けることができる。
【００１５】
本考案に係るダイエット用ベルトで、前記スライド部材は、前記バンドの他端側を取り付けるときにスライドしないよう、指で保持するための把持部を有していることが好ましい。この場合、把持部を指で保持して、バンドの他端側をスライド部材に取り付けることにより、その取付け作業中にスライド部材がスライドしにくく、取り付けやすい。
【００１６】
本考案に係るダイエット用ベルトで、前記バックル本体および前記スライド部材は、使用者の腹部または腰部の周りに巻いたとき、その部分の前記使用者の身体の曲線に合わせて撓む程度の可撓性を有していることが好ましい。この場合、バックル本体およびスライド部材が使用者の身体にフィットするため、装着時の違和感を減らすことができる。
【考案の効果】
【００１７】
本考案によれば、緩んだときに使用者がすぐに気付くことができ、優れたダイエット効果が得られるダイエット用ベルトを提供することができる。
【図面の簡単な説明】
【００１８】
【図１】本考案の実施の形態のダイエット用ベルトを示す斜視図である。
【図２】図１に示すダイエット用ベルトのバックル本体およびスライド部材を示す（ａ）正面図、（ｂ）斜視図である。
【図３】図１に示すダイエット用ベルトのバックル本体の内部を示す縦断面図である。
【図４】図１に示すダイエット用ベルトの変形例を示す（ａ）Ｓサイズのときの斜視図、（ｂ）Ｍサイズのときの斜視図である。
【図５】図４に示すダイエット用ベルトの（ａ）バンドの正面図、（ｂ）（ａ）に示すＡ部分の拡大図、（ｃ）（ａ）に示すＢ部分の拡大図である。
【図６】図１に示すダイエット用ベルトの第２の変形例を示す（ａ）バンドの一端側の正面図、（ｂ）バンドの他端側の正面図である。
【考案を実施するための形態】
【００１９】
以下、図面に基づき本考案の実施の形態について説明する。
図１乃至図５は、本考案の実施の形態のダイエット用ベルトを示している。
図１乃至図３に示すように、ダイエット用ベルト１は、バンド２とバックル本体３とスライド部材４と板バネ部材５と調整手段６とを有している。
【００２０】
図１に示すように、バンド２は、細長く、帯状を成している。図２および図３に示すように、バックル本体３およびスライド部材４は、ＡＢＳ樹脂製で、可撓性を有し、一体的に設けられている。スライド部材４は、薄い矩形板状の外形を有している。バックル本体３は、薄く細長い直方体形状の外形を有し、内部にスライド部材４を収納可能な、高さが低く細長い収納空間３ａを有している。バックル本体３は、一端面に収納空間３ａに連通する収納口３ｂを有している。また、バックル本体３は、他端に取付部３ｃを有している。取付部３ｃは、バンド２の一端側２ａを挿入して取付け可能な細長い取付穴３ｄを有している。バックル本体３は、取付穴３ｄにバンド２の一端側２ａを通して折り返し、その折返し部でバンド２同士を固定することにより、バンド２の一端側２ａに取り付けられている。
【００２１】
スライド部材４は、収納口３ｂから収納空間３ａに挿入された状態で、バックル本体３に取り付けられている。スライド部材４は、バックル本体３に対して、バンド２の長さ方向に沿ってスライドして、収納口３ｂから進退可能に設けられている。スライド部材４は、収納口３ｂから外れないようになっている。スライド部材４は、バックル本体３の奥まで挿入したとき、収納口３ｂから突出した取付部４ａを有している。取付部４ａは、バンド２の他端側２ｂを挿入して取付け可能な細長い取付穴４ｂを有している。また、スライド部材４は、取付部４ａの幅方向の両端に、滑り止めを備えた把持部４ｃを有している。
【００２２】
スライド部材４は、中央部に、厚みを貫通して設けられた中央穴４ｄを有している。中央穴４ｄは、スライド部材４の長さ方向に沿ってほぼ矩形状に形成されている。スライド部材４は、中央穴４ｄの両側縁部に、スライド方向に沿って凹凸を繰り返す形状の１対の波状部４ｅを有している。
【００２３】
板バネ部材５は、Ｕ字型を成し、対向する両端部５ａの先端に、互いに外側に向かって突出した係合部５ｂを有している。板バネ部材５は、バックル本体３の収納空間３ａの内側の、スライド部材４の中央穴４ｄの内部に配置されている。板バネ部材５は、収納空間３ａの奥側に中央部５ｃ、収納口３ｂの側に係合部５ｂを向けて、両端部５ａが波状部４ｅに対向してスライド方向に沿うよう取り付けられている。板バネ部材５は、両端部５ａから離れた中央部５ｃでバックル本体３に固定されて、両端部５ａが板バネ状になっている。板バネ部材５は、両端部５ａの中央の互いに対向する位置に、内側に向かって突出する係合凸部５ｄを有している。板バネ部材５は、各係合部５ｂが波状部４ｅに対向しており、各係合部５ｂが波状部４ｅの凹部に係合するよう、波状部４ｅの凹部の奥側に付勢されている。板バネ部材５は、スライド部材４をスライドさせるとき、係合部５ｂが波状部４ｅの凹凸に合わせて振動するとともに、カチカチ音も発するようになっている。
【００２４】
調整手段６は、ほぼ矩形状を成し、収納空間３ａの内側で、板バネ部材５の両端部５ａに挟まれて設けられている。調整手段６は、両側面に沿って、板バネ部材５の係合凸部５ｄに係合可能な複数の係合凹部６ａを有している。調整手段６は、板バネ部材５の係合部５ｂの側の角部６ｂで板バネ部材５を支持して押さえるよう構成されている。調整手段６は、係合凸部５ｄに係合させる係合凹部６ａの位置を変更しながら、バックル本体３に対して、板バネ部材５の長さ方向に沿って移動するようになっている。これにより、調整手段６は、板バネ部材５を支持する位置を変更し、係合部５ｂの付勢力を複数段階で調整可能になっている。また、調整手段６は、バックル本体３の表面に設けられたつまみ部６ｃを有している。調整手段６は、つまみ部６ｃにより、バックル本体３に対して移動して付勢力を調整可能になっている。
【００２５】
図１に示すように、ダイエット用ベルト１は、バンド２の長さを調整しながら、バンド２の他端側２ｂをスライド部材４の取付部４ｂに取り付けるようになっている。ダイエット用ベルト１は、バンド２の他端側２ｂに、その他端側２ｂをスライド部材４に取り付けたときの周長を明示する目盛り２ｃを有している。バンド２は、目盛り２ｃを有する側と反対側に、任意の位置で折り畳んで張り合わせることができる面ファスナーを有している。
取付穴４ｂにバンド２の他端側２ｂを通して折り返し、その折返し部でバンド２の面ファスナーを互いに張り合わせることにより、バンド２を任意の位置でスライド部材４に取り付けることができる。
【００２６】
次に、作用について説明する。
ダイエット用ベルト１は、腹筋の位置にかかるよう、腹部または腰部の周りに巻いて使用される。ダイエット用ベルト１は、係合部５ｂが波状部４ｅの凹部に係合するよう、スライド部材４をバックル本体３の奥側にスライドさせて配置した状態で、バンド２の他端側２ｂをスライド部材４に取り付けて装着する。このとき、把持部４ｃを指で保持してバンド２を取り付けることにより、その取付け作業中にスライド部材４がスライドするのを防止することができる。また、装着時には、腹筋の力が緩んで腹部が突き出たときにスライド部材４が収納口３ｂの側にスライドして緩むよう、腹筋に力を入れて腹部を凹ませた状態で装着する。腹筋で腹部を凹ませ、緩まないよう装着し続けることにより、ダイエット効果が得られる。
【００２７】
スライド部材４がスライドするとき、係合部５ｂが波状部４ｅの凹凸に合わせて振動するとともに、カチカチ音を発するため、腹筋が緩んで腹部が突き出たことに使用者が気付きやすい。このため、すぐに再装着することができ、優れたダイエット効果を得ることができる。また、ダイエット用ベルト１は、別個に分離する部材がないため、部材を紛失するおそれがない。
【００２８】
ダイエット用ベルト１は、調整手段６により、スライド部材４がスライドを始めるまでに加わる力を、複数段階で調整することができる。このため、慣れない段階では、係合部５ｂの付勢力を強くして緩みにくく調節し、慣れてきたときやダイエット効果を高めたいときなどには、係合部５ｂの付勢力を弱くして緩みやすく調節することができる。このように、使用者の好みに合わせて係合部５ｂの付勢力の強さを調節し、優れたダイエット効果を得ることができる。
【００２９】
ダイエット用ベルト１は、周長を明示する目盛り２ｃを有しているため、この目盛り２ｃを確認しながら、バンド２の長さを調節して装着しやすい。また、装着の度に目盛り２ｃをチェックすることにより、ダイエット効果を確認することができる。バックル本体３およびスライド部材４がＡＢＳ樹脂製で可撓性を有しているため、使用者の腹部または腰部の周りに巻いたとき、使用者の身体の曲線に合わせて撓んでフィットする。このため、装着時の違和感を減らすことができる。
【００３０】
なお、図４および図５に示すように、ダイエット用ベルト１で、バックル本体３は、バンド２の長さを調節してバンド２の一端側２ａを取付け可能に設けられ、バンド２は一端側２ａに、その一端側２ａをバックル本体３に取り付けるときの２つの取付位置を示す目印１２ａ，１２ｂを有し、他端側２ｂに、その他端側２ｂをスライド部材４に取り付けたときの周長を、各取付位置に応じて明示する目盛り１２ｃ，１２ｄを有していてもよい。図４および図５に示す具体的な一例では、Ｓ（周長：５００〜７５０ｍｍ）とＭ（周長：６００〜９００ｍｍ）の２つのサイズに対応して、それぞれバンド２の両側縁に沿って目盛り１２ｃ，１２ｄが設けられている。この場合、目盛りが複数のサイズの腹部周りまたは腰部周りに対応しているので、広いサイズ範囲の使用者が目盛りを利用可能である。また、ダイエット効果などにより、腹部または腰部の周りのサイズが変化しても、バンド２の一端側２ａの取付位置を変えることにより、使用し続けることができる。
【００３１】
また、図６に示すように、バックル本体３は、面ファスナーにより、バンド２の長さを調節してバンド２の一端側２ａを取付け可能に設けられていてもよい。この場合、バンド２は一端側２ａに、他端側２ｂの目盛り２ｃの基準になる位置を示す目印２２ａと、その目印２２ａから他端側２ｂに向かって目印２２ａからの長さをマイナス表記で示す目盛り２２ｂとを有している。この場合、初回にダイエット用ベルト１を装着する際、バンド２の一端側２ａを目印２２ａに合わせておき、バンド２の他端側２ｂで長さを調節して装着する。次回以降に装着するとき、バンド２の他端側２ｂを同じ目盛り２ｃの位置で固定し、バンド２の一端側２ａで長さを調節して装着することにより、初回からの腹部または腰部周りのサイズの変化を目盛り２２ｂで確認することができ、ダイエット効果を実感しやすい。
【００３２】
また、図３の破線で示すように、調整手段６は、板バネ部材５を支持する角部６ｂが、板バネ部材５の長さ方向に沿って所定の長さで伸びていてもよい。この場合、角部６ｂの長さが短い場合（図３の実線）と比べて、係合部５ｂの付勢力をより強くすることができる。また、板バネ部材５の長さ方向に沿った両端を入れ換えるように、調整手段６をひっくり返すことにより、係合部５ｂの付勢力をさらに細かく調整することができる。
【符号の説明】
【００３３】
１  ダイエット用ベルト
２  バンド
２ａ  一端側
２ｂ  他端側
２ｃ  目盛り
３  バックル本体
３ａ  収納空間
３ｂ  収納口
３ｃ  取付部
３ｄ  取付穴
４  スライド部材
４ａ  取付部
４ｂ  取付穴
４ｃ  把持部
４ｄ  中央穴
４ｅ  波状部
５  板バネ部材
５ａ  端部
５ｂ  係合部
５ｃ  中央部
５ｄ  係合凸部
６  調整手段
６ａ  係合凹部
６ｄ  角部
６ｃ  つまみ部
【図２】
0003187489.tif 000003
【図３】
0003187489.tif 000004
【図５】
0003187489.tif 000005
【図１】
0003187489.tif 000006
【図４】
0003187489.tif 000007
【図６】
0003187489.tif 000008